(57)【要約】【課題】  自転車競技の発走前に、選手の乗った競技自転車を容易に垂直に保持することができる競技自転車用発走機を提供することをその目的とする。【解決手段】  自転車競技における競技自転車３０の発走前に、発走される競技自転車３０を垂直に保持する発走機１において、その本体フレーム２に左右に傾動可能なサポートユニット１０を設ける。サポートユニット１０に競技自転車３０の後輪３２を挟持する挟持部１６と、上下方向に傾動可能な支持部２０とを設ける。サポートユニット１０は、本体フレーム２に対し傾動可能に設けられている。競技場の走路に本体フレーム２が傾いて配置された際、本体フレーム２を傾斜させずに、単に、発走機１に構成されるサポートユニット１０を傾動させ、支持部２０と挟持部１６により保持された競技自転車３０を垂直に保持することができる。【選択図】  図２
2006069243.tif 000002
【特許請求の範囲】
【請求項１】
自転車競技における競技自転車の発走前に、発走される競技自転車を垂直に保持する競技自転車用発走機であって、該競技自転車用発走機の本体フレームに左右に傾動可能なサポートユニットを設け、該サポートユニットに前記競技自転車の後輪を挟持する挟持部と、上下方向に傾動可能な支持部とを設け、前記本体フレームが傾いて配置された際、前記競技自転車のサドルを前記支持部で支持すると共に前記競技自転車の後輪を挟持させた前記挟持部を前記本体フレームに対して傾動させ前記競技自転車を垂直に保持する前記サポートユニットを備えていることを特徴とする競技自転車用発走機。
【請求項２】
前記挟持部の設けられたサポートユニットは、前記本体フレームに着脱可能に設けられていることを特徴とする請求項１記載の競技自転車用発走機。
【発明の詳細な説明】
【技術分野】
【０００１】
本発明は、自転車競技のスタート時に選手の乗った競技自転車を垂直に保持する競技自転車垂直保持構造を備えた発走機に関し、特に、路面が傾斜されている自転車競技場の走路であっても、所定の位置に安定させた状態で競技自転車を保持することが可能な競技自転車用発走機に関する。
【背景技術】
【０００２】
従来、競技自転車による競技を行う際には、そのスタート時に補助員が競技自転車に乗った選手の自転車のサドルを手により把持することで、自転車を倒れないように垂直に保持し、競技のスタートの合図と同時にその手を開放させ、選手の足が地面に接触しないようにした状態で自転車競技のスタートを行っていた。
【０００３】
ところで、自転車競技場は、一周あたりの周長が２５０メートル〜５００メートル程あり、これらの走路の全体が直線部分で2〜4度、コーナーでは30度前後の角度に内側が外側より低くなるように傾斜されていて、何れの走路においても路面が傾斜しているので、高速で競技自転車が周回するには好ましいわけではあるが、その一方で、競技自転車のスタート時には、選手の乗った競技自転車が走路上の何れかの位置に静止した状態からスタートする為、傾斜している路面に選手の乗った競技自転車を垂直に保持するのは、比較的難しく、近年においては、図７示す発走機が用いられている。この発走機１００には、競技自転車１０１のサドル１０２下端のパイプ部１０３を支持する支持部１０４と、競技自転車１０１の後輪１０５を挟持する挟持部１０６が設けられており、挟持部１０６と支持部１０４により競技自転車１０１を保持できるようになっている。そして、発走機１００下端には、回動させることで上下調整可能なジャッキ１０７が設けられており、このジャッキ１０７により高さ調整を行い、発走機１００に保持された競技自転車１０１を垂直に保持するものである。また、従来技術として、競技などに使用するスポーツ用自転車を倒れないように支持するスタンド装置が特許文献１には開示されている。
【０００４】
【特許文献１】特開平１０−２１８０５２号公報
【発明の開示】
【発明が解決しようとする課題】
【０００５】
しかし、図７に示すこの発走機においては、支持部１０４により競技自転車１０１のサドル１０２に設けられたパイプ部１０３を支持すると共に、一対の挟持部１０６により競技自転車１０１の後輪１０５を挟持させることにより、選手の乗った競技自転車１０１が倒れることがないように垂直に保持することはできるが、傾斜した走路に発走機１００を設置させ垂直に競技自転車１０１を保持するとなると、発走機１００を走路の傾斜角度に合わせて傾斜させなければならない。つまり、この従来例においては、発走機１００の下端に設けられた2個のジャッキ１０７のねじを回して高さの上下調整をしなければ、発走機１００に保持された競技自転車１０１を垂直に保持することができず、しかも、発走機１００の高さ調整をするジャッキ１０７は、ねじを回して上下するものであるため、2個のジャッキの高さ調整をするとなると何度もねじを回して上下調整するには時間がかかるので、その設置作業がとても煩わしいものであった。
【０００６】
本発明は、上記課題を解決するものであり、選手の乗った競技自転車を安定的に保持でき、且つ、傾斜された走路に競技自転車用発走機を設置する際に、この競技自転車用発走機の全体の角度を調整するといった煩わしい作業をすることなく、競技自転車を容易に垂直に保持することができる競技自転車用発走機を提供することをその目的とする。
【課題を解決するための手段】
【０００７】
本発明の請求項１の競技自転車用発走機は、自転車競技における競技自転車の発走前に、発走される競技自転車を垂直に保持する競技自転車用発走機であって、該競技自転車用発走機の本体フレームに左右に傾動可能なサポートユニットを設け、該サポートユニットに前記競技自転車の後輪を挟持する挟持部と、上下方向に傾動可能な支持部とを設け、前記本体フレームが傾いて配置された際、前記競技自転車のサドルを前記支持部で支持すると共に前記競技自転車の後輪を挟持させた前記挟持部を前記本体フレームに対して傾動させ前記競技自転車を垂直に保持する前記サポートユニットを備えていることを特徴とする。
【０００８】
請求項１の構成により、左右に傾斜した走路などに自転車競技場を垂直に保持する際、
競技自転車のサドルを支持部で支持すると共にその後輪を挟持部により挟持する。この時、支持部と挟持部の設けられた自転車競技用発走機の本体フレームに備えられたサポートユニットは傾動することができるので、支持部と挟持部により保持された競技自転車を、サポートユニットを傾動させることで競技自転車を垂直に保持することができる。従って、従来の発走機のように、左右に傾斜した走路上に競技自転車を垂直に保持する際に、発走機の全体を傾斜させて配置せずに済むので、競技自転車を垂直に保持する作業を、単に、サポートユニットを傾動させることで容易に行うことができる。
【０００９】
本発明の請求項２の競技自転車用発走機は、請求項１の競技自転車用発走機において、前記挟持部の設けられたサポートユニットは、前記本体フレームに着脱可能に設けられていることを特徴とする。
【００１０】
請求項２の構成により、競技自転車用発走機の本体フレームからサポートユニットを取り外すことができるので、競技自転車の後輪を幾度となく挟持する挟持部が磨耗して取り替えなどの作業が必要になった際、競技自転車用発走機の本体フレームから傾動するサポートユニットを取り外し、挟持部の交換などのメインテナンス作業を容易に行うことができる。
【発明の効果】
【００１１】
請求項１の競技自転車用発走機によれば、自転車競技における競技自転車の発走前に、発走される競技自転車を垂直に保持する競技自転車用発走機であって、該競技自転車用発走機の本体フレームに左右に傾動可能なサポートユニットを設け、該サポートユニットに前記競技自転車の後輪を挟持する挟持部と、上下方向に傾動可能な支持部とを設け、前記本体フレームが傾いて配置された際、前記競技自転車のサドルを前記支持部で支持すると共に前記競技自転車の後輪を挟持させた前記挟持部を前記本体フレームに対して傾動させ前記競技自転車を垂直に保持する前記サポートユニットを備えているから、左右に傾斜した走路などにこのサポートユニットを傾動させて競技自転車を簡単に垂直に保持することができる。
【００１２】
本発明の請求項２の競技自転車用発走機によれば、請求項１において、前記挟持部の設けられたサポートユニットは、前記本体フレームに着脱可能に設けられているから、競技自転車用発走機の本体フレームからサポートユニットを取り外すことができるので、競技自転車の後輪を繰り返し挟持する挟持部が磨耗して取り替えなどの作業が必要になった際、競技自転車用発走機の本体フレームから傾動するサポートユニットを取り外し、挟持部の交換などのメインテナンス作業を行うことができるので作業性の良い発走機を提供することができる。
【発明を実施するための最良の形態】
【００１３】
以下、本発明を実施するための最良の形態としての実施例を図１〜図６により以下に説明する。もちろん、本発明は、その発明の趣旨に反しない範囲で、実施例において説明した以外の構成のものに対しても容易に適用可能なことは説明を要するまでもない。
【００１４】
図１は、本実施例の競技自転車用発走機に競技自転車を垂直に保持した状態を示す左側面図であり、図２は競技自転車発走機を後方から視た状態を示す斜視図、図３はその平面図である。これらの図に示すように、競技自転車用発走機１（以下、発走機と称す。）は、その本体フレーム２が金属製の角筒状のフレーム２Ａにより形成されている。そして、本体フレーム２の下端側四隅には、方向が自在に変わると共に回動自在に軸支された固定キャスター３，３Ａが取り付けられており、固定レバー４の一方の端部を足により踏み込むことで固定キャスター３の回動動作を固定できるようになっている。なお、固定された固定キャスター３，３Ａを再び回動可能に開放させ発走機１を移動できるようにするには、前記固定レバー４の前記一方の端部の反対側に位置する端部を踏み込むことで回動可能となる。
【００１５】
図４及び図５は発走機の背面図であり、ジャッキスタンド５は、本体の左側（図４及び図５に示す左側）の下方に取り付けられており、ジャッキスタンド５は、発走機１を所定の位置から移動しないように設置を行う時に用いるためのものであり、固定キャスター３，３Ａの全てが地面に設置されている発走機１の移動可能状態（図４に示す状態）にある時に、自転車競技をする競技場の走路上のスタートライン近傍の所定の位置に発走機１を移動することができ、また、所定の位置から移動できないように設置する際には、図５に示すように、発走機１の２本のジャッキスタンド５の下面を走路に設置させる。この時、ジャッキスタント５に設けられた上下レバー５Ａを押し下げることにより、ジャッキスタンド５の下端が地面に突き出すように伸び接触され、その近傍に設けられた固定キャスター３が地面から接触しないように離間され、二つのジャッキスタンド５と地面に接触されている固定キャスター３Ａにより、発走機１が移動しないように設置できるようになっている。
【００１６】
なお、地面に設置された発走機１を移動する際には、ジャッキスタンド５の下端を上下に可動する上下レバー５Ａを押し上げ固定することにより、フレーム２の下端側四隅に設けられた固定キャスター３，３Ａを全て地面に接触させると共にジャッキスタンド５が地面に接触しないよう上方に縮めた状態で、発走機１が前述した移動可能状態となる。ところで、ジャッキスタンド５は、一般的に用いられている足踏み式のジャッキスタンド５であり、前述した上下レバー５Ａを足で踏み込むことにより所定の高さに伸縮させ上下動させることができると共にその固定及び解除を繰り返しできるようになっている。
【００１７】
１０は、競技自転車３０のサドル３１に設けられた円柱状のパイプ部３１Ａを支持すると共にその後輪を挟持するサポートユニットである。
【００１８】
サポートユニット１０は、このサポートユニット１０に一体に形成された円柱型の軸部１１が、本体フレーム２に形成された軸孔１２に揺動自在に枢支されており左右に傾動可能となっている。なお、本体フレーム２の軸孔１２の下方には円弧状の案内溝１３が形成されており、この案内溝１３にサポートユニット１０の案内軸１４が後方に突出するように挿入されており、軸部１１を支点として、案内溝１３に挿入された案内軸１４の可動角度θの範囲で、サポートユニット１０が本体フレーム２に対して傾動できるもので、本体フレーム２に対して傾動させたサポートユニット１０を、所望の角度に傾斜させた状態で案内軸１４に設けられた固定手段１５により本体フレーム２に固定できるようになっている。なお、サポートユニット１０は本体フレーム２に着脱可能になっており、サポートユニット１０の前側の一端には、競技自転車３０のサドル３１のパイプ部３１Ａを保持するＹ字型の支持部２０が傾動自在に設けられている。そして、サポートユニット１０の下方に設けられている一対の挟持部１６により競技自転車３０の後輪３２を挟持させると共に、Ｙ字型の支持部２０の内側に競技自転車のパイプ部３１Ａを接触させ、競技自転車３０が保持できるようになっている。
【００１９】
また、サポートユニット１０の下方前側には、一対の挟持部１６の夫々を同時に可動させる倍力リンク機構１７が設けられており、本体フレーム２に取り付けられている動力源としてのエアータンク１８に蓄圧されたエアーの圧力により単一のエアーシリンダー１９を作動させることで、倍力リンク機構１７を駆動させ、この駆動された倍力リンク機構１７を介して一対の挟持部１６を同時に作動させるようになっている。なお、倍力リンク機構１７は、図６に示すように、一対の対向した挟持部１６のそれぞれが同様に作動するように対称なリンクアーム１７Ａを有し、これらリンクアーム１７Ａの梃子の作用により各挟持部１６を可動させ、競技自転車３０の後輪３２を一対の挟持部１６により強固に挟み込み保持することができる。従って、例えば、挟持部を可動させる動力が、単にエアーシリンダーのエアー圧力のみにより直接的に挟持部を可動させる構造に比べ、倍力リンク機構１７のリンクアーム１７Ａにより力を増幅させた後に、一対の挟持部１６により競技自転車３０の後輪３２の両側を４０〜５０ｋｇｆ程の力で押圧して強固に挟み込んで保持できるようになっている。
【００２０】
なお、エアータンクは、従来から用いられている発走機のように一対の挟持部の動力源としていたボンベではなく、一般的な汎用性のあるエアーコンプレッサによりエアーを充填することができるエアータンク１８であるので、このエアーコンプレッサさえあれば簡単にエアータンク１８にエアーを充填することができる。
【００２１】
以上のように上記構成によれば、発走機１は、自転車競技における競技自転車３０の発走前に、発走される競技自転車３０を垂直に保持する発走機であり、この発走機１の本体フレーム２に左右に傾動可能なサポートユニット１０を設け、このサポートユニット１０に競技自転車３０の後輪３２を挟持する挟持部１６と、上下方向に傾動可能な支持部２０とを設け、競技場の走路などに発走機１の本体フレーム２が傾いて配置された際、競技自転車３０のサドル３１に設けられたパイプ部３１AをY字型の支持部２０の間に接触させ支持させると共に競技自転車３０の後輪３２を挟持させた挟持部１６を、本体フレーム２に対して傾動させ競技自転車３０を垂直に保持するサポートユニット１０を備えているものである。これにより、例えば、左右に傾斜した走路などに選手の乗った競技自転車３０を垂直に保持する際、競技自転車３０のサドル３１を支持部２０で支持すると共に競技自転車３０の後輪３２を挟持部１６により挟持する。この時、支持部２０と挟持部１６の設けられた発走機１の本体フレーム２に備えられたサポートユニット１０は傾動することができるので、支持部２０と挟持部１６により保持された競技自転車３０を、サポートユニット１０を傾動させることで競技自転車３０を垂直に保持することができる。従って、従来の発走機のように、左右に傾斜した走路上に競技自転車を垂直に保持する際に、重量の重い発走機の全体を傾斜させて配置せずに済むので、自転車競技の発走前において、可及的速やかに行う必要がある競技自転車３０の垂直に保持する作業を、単に、発走機全体を傾斜させるのではなく、発走機１に構成されるサポートユニット１０を傾動させることで容易に行うことができ、競技自転車３０を簡単に垂直に保持することができる。さらに、挟持部１６の設けられたサポートユニット１０は、発走機１の本体フレーム２に着脱可能に設けられている為、本体フレーム２からサポートユニット１０を取り外すことができ、例えば、競技自転車３０の後輪３２を幾度となく挟持する挟持部１６などが磨耗して取り替えなどの作業が必要になった際、発走機１の本体フレーム２からサポートユニット１０を取り外し、挟持部１６の交換などのメインテナンス作業を容易に行うことができるので作業性を向上させた発走機１を提供することができる。
【図面の簡単な説明】
【００２２】
【図１】本発明の競技自転車用発走機に競技自転車を保持した状態を示す左側面図である。
【図２】同上、競技自転車発走機を後方から視た状態を示す斜視図である。
【図３】同上、競技自転車用発走機を上方から視た状態を示す平面図である。
【図４】同上、競技自転車用発走機の移動可能状態を示す背面図である。
【図５】同上、競技自転車用発走機を走路に設置した状態を示す背面図である。
【図６】同上、競技自転車用発走機の要部を示す正面図である。
【図７】従来から用いられている競技自転車用発走機を示す斜視図である。
【符号の説明】
【００２３】
１  発走機（競技自転車用発走機）
２  本体フレーム
１０  サポートユニット
１６  挟持部
２０  支持部
３０  競技自転車
３１  サドル
３２  後輪
【図１】
2006069243.tif 000003
【図２】
2006069243.tif 000004
【図３】
2006069243.tif 000005
【図４】
2006069243.tif 000006
【図５】
2006069243.tif 000007
【図６】
2006069243.tif 000008
【図７】
2006069243.tif 000009